(57)【要約】      （修正有）【課題】持ち運びの利便性を向上した幕板付きの机を提供する。【解決手段】机１は、天板１１と、脚部１３Ｌおよび脚部１３Ｒと、天板１１の前側に垂下状に設けられる幕板１５とを備えている。幕板１５は、天板１１の前端部において、天板１１の主たる面と天板１１の前端とがほぼ揃うように配置されている。また幕板１５は、天板１１の下面との間隔を小さくして、実質的に指などを挿入できる高さの隙間が天板１１と幕板１５との間に生じないように配置されている。幕板１５は、主板部材１７と、主板部材１７の左右中央の上部に設けられる手掛け部５１とを有し、手掛け部５１は前板部から後方に凹状となる有底の溝が形成される。【選択図】図１
2014213086.tif 000002
【特許請求の範囲】
【請求項１】
天板と、前記天板を支持する脚部と、を備える机であって、
前記天板の前側に垂下状に設けられる幕板を備え、
当該机には、前記幕板および前記天板の少なくともいずれか一方の前面から後方に延びて進入物の前方から後方への進入を可能とする延出空間が形成されており、
さらに、前記延出空間の上方に設けられ、下方から上方に加えられる荷重を受ける荷重受け部を備える
ことを特徴とする机。
【請求項２】
天板と、前記天板を支持する脚部と、を備える机であって、
前記天板の前側に垂下状に設けられる幕板と、
前記幕板の前側面よりも後方に設けられ、下方から上方に加えられる荷重を受ける荷重受け部と、
前記幕板および前記天板の少なくとも一方に設けられ、前方から前記荷重受け部への進入物の進入を可能とする間隙が設けられた間隙部と、を備える
ことを特徴とする机。
【請求項３】
前記荷重受け部は、前記幕板に設けられている
ことを特徴とする請求項１または請求項２に記載の机。
【請求項４】
前記幕板の上端には切欠きが形成され、該切欠きの後方が前記延出空間となっており、
前記荷重受け部は、前記天板の下面における前記延出空間の上方に位置する領域である
ことを特徴とする請求項１に記載の机。
【請求項５】
前記幕板よりも後方に向けて進入した進入物と接触して、該進入物が所定の深さ以上挿入されることを抑制する挿入抑制部を備える
ことを特徴とする請求項１から請求項４のいずれか１項に記載の机。
【請求項６】
当該机は、複数の前記机を、前記天板が前後に所定距離ずれながら上下に積み重ねて収納できるように構成されており、
前記所定の深さとは、積み重ねたときに下方にある前記机の天板の進入する領域に到達しない深さである
ことを特徴とする請求項５に記載の机。
【請求項７】
前記幕板の後方における所定の位置に設けられ、左右方向に長さを有する横設部と、
前記荷重受け部に上方への荷重が加えられたときに、前記横設部に対して間接的に前記荷重を伝達する伝達部と、を備える
ことを特徴とする請求項１から請求項６のいずれか１項に記載の机。
【請求項８】
前記幕板は、開口が形成された主板部材と、前記開口の周縁部に取り付けられる取付部材とを有し、
前記取付部材は、前記開口を通過して主板部材と交差する方向に延びる筒状の延出部を備え、該延出部の上面が前記荷重受け部となる
ことを特徴とする請求項１から請求項７のいずれか１項に記載の机。
【発明の詳細な説明】
【技術分野】
【０００１】
本発明は、幕板を備える机に関する。
【背景技術】
【０００２】
机を運搬するときなどに机を持ち上げる際には、通常、天板の左右端部または前後端部を掴んで持ち上げていた。従来、天板を把持した指が外れにくくなるように、天板の左右側方の裏面に、下方に向かって延びる係止片を設けた机が提案されている（特許文献１参照）。また、従来、幕板を取り付けた机も提案されている（特許文献２参照）。
【先行技術文献】
【特許文献】
【０００３】
【特許文献１】特開２０１０−９９３５１号公報
【特許文献２】特開２０１２−１００９３６号公報
【発明の概要】
【発明が解決しようとする課題】
【０００４】
天板は一般的に、着席位置から見て左右方向に長く前後方向に短い。よって、持ち上げる目的によっては左右方向よりも前後方向の端部を掴んだほうが持ち上げ易い場合がある。また複数の机を天板の隙間を詰めて左右に並べる場合や、天板の側面を壁に密着させるように机を移動させる場合には、左右の端部を掴んだ手が机の配置の邪魔になるため、前後方向の端部を掴んで持ち上げるほうが都合がよい。
【０００５】
幕板を取り付けた机においては、幕板を天板の下面においてなるべく前方寄りに配置させると天板下方のスペースを使用者が広く使うことができる。しかしながら幕板の配置を前方に寄せると、天板前方の端部において天板を把持するために指を掛ける領域が十分に確保できなくなる場合がある。
【０００６】
本発明の目的は、持ち運びの利便性を向上した幕板付きの机を提供することである。
【課題を解決するための手段】
【０００７】
上述した問題を解決するためになされた請求項１に記載の発明は、天板と、天板を支持する脚部と、を備える机であって、天板の前側に垂下状に設けられる幕板を備える机である。当該机には、幕板および天板の少なくともいずれか一方の前面から後方に延びて進入物の前方から後方への進入を可能とする延出空間が形成されており、さらに、延出空間の上方に設けられ、下方から上方に加えられる荷重を受ける荷重受け部を備えることを特徴とする。
【０００８】
このように構成された机では、荷重受け部により、机の運搬者の指などから加えられる下方から上方への荷重を受けることができる。ここで、荷重受け部は延出空間の上方に設けられているが、延出空間は机の前面において後方に延びるように形成されていることから、運搬者は机の前面側に荷重を加えて机を持ち運ぶことができる。即ち、机の持ち運びの利便性を向上できる。
【０００９】
この効果は、机の前面の天板が前方に突出していておらず、その突出部分に手を掛けることができない机においては勿論有効であるが、天板が前方に突出している机であっても、手を掛ける位置や持ち運び方のバリエーションが増えることで利便性が向上する。
【００１０】
また上記机では、天板の前側部分に手を掛けるための突出した部分を形成するために、幕板を天板の前端から後方にずらして配置したり、天板と幕板との間に上下方向の大きな隙間が生じるように幕板を配置したりする必要がなくなる。その結果、幕板の配置の自由度が向上し、それにより机の美観を向上させることができる。また、幕板をより前方に配置することで天板下面における空間を広く取ることができる。
【００１１】
上述した荷重受け部は、幕板の前側面よりも後方であれば様々な位置に設けることができる。天板の下面や幕板自体に設けてもよいし、脚部に設けてもよい。
また、上述した問題を解決するためになされた請求項２に記載の発明は、天板と、天板を支持する脚部と、を備える机であって、天板の前側に垂下状に設けられる幕板と、幕板の前側面よりも後方に設けられ、下方から上方に加えられる荷重を受ける荷重受け部と、幕板および天板の少なくとも一方に設けられ、前方から荷重受け部への進入物の進入を可能とする間隙が設けられた間隙部と、を備えることを特徴とする。
【００１２】
このように構成された机は、荷重受け部により、机の運搬者の指などから加えられる下方から上方への荷重を受けることができる。ここで、荷重受け部へは間隙部に設けられた間隙を通じて机の前面から進入することができる。即ち、運搬者は机の前面側に荷重を加えて机を持ち運ぶことができる。従って、請求項１の机と同様に、机の持ち運びの利便性を向上できる。
【００１３】
上述した請求項１または請求項２に記載の机において、荷重受け部が設けられる位置は特に限定されない。例えば天板や脚部に設けることが考えられるが、荷重受け部は幕板に設けられていてもよい。
【００１４】
また、請求項１に記載の机において、幕板の上端には切欠きが形成され、該切欠きの後方が上述した延出空間となっており、荷重受け部が、天板の下面における延出空間の上方に位置する領域であるように構成されていてもよい。
【００１５】
また上述した各机は、幕板よりも後方に向けて進入した進入物と接触して、該進入物が所定の深さ以上挿入されることを抑制する挿入抑制部を備えるように構成されていてもよい。このように構成された机では、机の前方から後方に指等が所定の深さ以上挿入されてしまい、指が机の下方にあるものと接触してしまうことを抑制できる。
【００１６】
例えば、当該机が、複数の前記机を天板が前後に所定距離ずれながら上下に積み重ねて収納できるように構成されている場合において、上記所定の深さを、積み重ねたときに下方にある机の天板の進入する領域に到達しない深さとすることで、天板を積み重ねて机を収納する際に、天板の間に指が挟まれてしまうことを抑制できる。
【００１７】
また上述した各机は、幕板の後方における所定の位置に設けられ、左右方向に長さを有する横設部と、荷重受け部に上方への荷重が加えられたときに、横設部に対して間接的に前記荷重を伝達する伝達部と、を有しているように構成されていてもよい。
【００１８】
このように構成された机では、荷重受け部に加えられた荷重を横設部に伝えることで荷重受け部が強い荷重を受けたときの応力を分散でき、荷重受け部が破損してしまうことを抑制できる。
【００１９】
ところで、上述した幕板は、開口が形成された主板部材と、開口の周縁部に取り付けられる取付部材とを有し、その取付部材が、上記開口を通過して主板部材と交差する方向に延びる筒状の延出部を備え、該延出部の上面が前記荷重受け部となるように構成されていてもよい。このように構成された机では、幕板を構成する取付部材によって幕板に荷重受け部を形成することができる。
【００２０】
なお上記本発明の構成においては、各部の相対的な位置関係を簡潔に説明するため前後、左右、および上下の方向を規定している。これらは通常の使用時における方向を示すものであるが、使用態様を制限するものではない。一例として着席者から机に向かう方向を前後方向とすることが考えられるが、その方向に限定されない。
【図面の簡単な説明】
【００２１】
【図１】実施例の机を示す斜視図である。
【図２】実施例の机を示す図であって、（Ａ）が正面図であり、（Ｂ）が右側面図であり、（Ｃ）が左側面図であり、（Ｄ）が背面図であり、（Ｅ）が平面図であり、（Ｆ）が底面図である。
【図３】手掛け部の斜視図である。
【図４】手掛け部を示す図であって、（Ａ）が正面図であり、（Ｂ）が右側面図であり、（Ｃ）が平面図であり、（Ｄ）が底面図であり、（Ｅ）が図４（Ａ）のＢ−Ｂ断面図であり、（Ｆ）が図４（Ａ）のＣ−Ｃ断面図である。
【図５】幕板の主板部材の貫通孔周辺を示す斜視図であって、幕板の左右方向の中心を上下および前後に広がる面にて切断した場合の断面を示す図である。
【図６】手掛け部の主板部材への取り付けを説明する図２（Ａ）におけるＡ−Ａ断面図である。
【図７】机の積み重ねを説明する図であって、（Ａ）が一部を省略および透視した平面図であり、（Ｂ）が図７（Ｃ）の下側の机に対するＥ−Ｅ断面図であり、（Ｃ）が図７（Ａ）のＤ−Ｄ断面図である。
【図８】机の連結を説明する、一部を省略および透視した平面図である。
【図９】変形例の机を示す斜視図である。
【図１０】変形例の机を示す図であり、（Ａ）が正面図であり、（Ｂ）が図１０（Ａ）のＦ−Ｆ断面図である。
【図１１】変形例の手掛け部を示す側面図である。
【発明を実施するための形態】
【００２２】
以下に本発明の実施形態を図面と共に説明する。
［実施例］
（１）全体構成
本実施例の机１は、図１および図２（Ａ）〜図２（Ｆ）に示すように、天板１１と、左右それぞれにて天板１１を支持する一対の脚部１３Ｌおよび脚部１３Ｒと、天板１１の前側に垂下状に設けられる幕板１５とを備えている。
【００２３】
なお本実施例の机は使用者の着席位置が想定されるものであって天板１１の後方が着席側となる。左右方向は、使用者が机１に向かって着席した状態で使用者を基準とした左右の方向となる。そのため、図２（Ｂ）の右側面図には机１の左側が示され、図２（Ｃ）の左側面図には机１の右側が示されている。
【００２４】
天板１１は、前後方向および左右方向に広がる略矩形形状であって、角部分に丸みを有する板状の部材である。
脚部１３Ｌおよび脚部１３Ｒは、外観が棒状の金属パイプを屈曲および溶接して形成されている。脚部１３Ｌおよび脚部１３Ｒは左右対称に近い形状となっているが、一部の形状が相違している。そこで、まず脚部１３Ｌについて説明し、脚部１３Ｒについては脚部１３Ｌと相違する箇所を説明する。
【００２５】
脚部１３Ｌは、前後に間隔を空けて配置された前脚２１Ｌおよび後脚２３Ｌと、前脚２１Ｌおよび後脚２３Ｌを連結する連結部２５Ｌとを備えている。
前脚２１Ｌは、下端が連結部２５Ｌと連結する上柱２７Ｌと、上柱２７Ｌと隣接して配置される下柱２９Ｌと、を溶接して形成されている。上柱２７Ｌと下柱２９Ｌはいずれも上下方向に延びており、下柱２９Ｌが上柱２７Ｌの右側に並ぶように連接される。
【００２６】
前脚２１Ｌ（下柱２９Ｌ）の下端には、上下方向の回転軸を中心として旋回可能であり、回転方向を自在に変更できる自在型キャスタ３１が設けられている。
後脚２３Ｌの下端には、左右方向に固定された回転軸を中心として回転する、回転方向が前後方向に固定された固定型キャスタ３５が設けられている。
【００２７】
脚部１３Ｒは、前脚２１Ｒ，後脚２３Ｒ，連結部２５Ｒ，上柱２７Ｒ，下柱２９Ｒを備えており、配置および構成は基本的には脚部１３Ｌの前脚２１Ｌ，後脚２３Ｌ，連結部２５Ｌ，上柱２７Ｌ，下柱２９Ｌと同じである。後脚２３Ｒは、後脚２３Ｌと比べて上方が前方に傾斜している。また連結部２５Ｒの形状は連結部２５Ｌと若干相違するが、詳細は後述する。
【００２８】
左右一対の脚部１３Ｌ，１３Ｒの間には、幕板１５の後方に配置されて上柱２７Ｌ，２７Ｒ同士を連結する上脚連結杆３９と、下柱２９Ｌ，２９Ｒの上端部同士を連結する下脚連結杆４１とが設けられている。下脚連結杆４１は下柱２９Ｌ，２９Ｒと一体に形成されている。
【００２９】
前脚２１Ｌの上端と前脚２１Ｒの上端は、幕板１５の後方に配置される左右方向に長さを  有する第１横設部４５によって連結されている。また後脚２３Ｌの上端および後脚２３Ｒの上端は、第２横設部４７によって連結されている。天板１１は、これら第１横設部４５および第２横設部４７により支持される。
【００３０】
なお図２（Ａ）〜図２（Ｆ）などに示すように、前脚２１Ｌ，２１Ｒはいずれも天板１１の下側の空間に設けられており、後脚２３Ｌ，２３Ｒはいずれも天板１１の下側の空間から左右方向の外側に外れた位置に設けられている。
【００３１】
幕板１５は、天板１１の前端部において、幕板１５の主たる面と天板１１の前端とがほぼ揃うように配置されている。また幕板１５は、天板１１の下面との間隔を小さくして、実質的に指などを挿入できる高さの隙間が天板１１と幕板１５との間に生じないように配置されている。
【００３２】
（２）幕板の詳細構成
幕板１５は、主板部材１７と、主板部材１７の左右中央の上部に設けられる手掛け部５１と、を有する。なお以下の図面において、手掛け部５１の方向は図１，図２の方向に対応する方向である。
【００３３】
手掛け部５１は、図３（Ａ）〜図３（Ｄ）および図４（Ａ）〜図４（Ｆ）に示すように、前板部５３と、第１延出部５５と、第２延出部５７と、底板部５９と、を有する。手掛け部５１の各部は合成樹脂で一体成形されている。
【００３４】
前板部５３は、幕板１５の前面に配置される平板状の部材である。
第１延出部５５および第２延出部５７は、前板部５３から後方に延び出して協働して筒状体を形成する。第１延出部５５は、左右方向に長さを有する平板状である。第２延出部５７は、第１延出部５５の下方に設けられる断面が下方にカーブした板状形状であって、その左右の端部が第１延出部５５の左右の端部と連接している。
【００３５】
底板部５９は、第１延出部５５および第２延出部５７により形成される筒状体の延び出した先に設けられる上下および左右方向に広がる板状形状であって、筒状体の延び出した先に蓋をする。
【００３６】
このように構成された第１延出部５５，第２延出部５７，および底板部５９により、手掛け部５１は前板部５３から後方に凹状となる有底の溝が形成される。
第１延出部５５の上側には３つのリブ６１と２つの第１バネ片６３とが設けられている。リブ６１は前後方向に長さを有し、上端面は後方が高くなっている。第１バネ片６３は後方かつ上方に延び出し、延び出した先が上下方向に弾性変位する。
【００３７】
また第２延出部５７の下側には前方かつ下方に延び出す第２バネ片６５が設けられており、延び出した先端が上下方向に弾性変位する。
幕板１５の主板部材１７には、図５に示すように、幕板１５には手掛け部５１を取り付けるための貫通孔７１が設けられている。手掛け部５１の主板部材１７への取り付けを図６（Ａ）〜図６（Ｃ）を用いて説明する。なお第１横設部４５は理解を容易にするために図面では充填形状としているが、実際は中空形状である。
【００３８】
手掛け部５１は、図６（Ａ）に示すように、幕板１５の貫通孔７１の前方から挿入される。まず図６（Ｂ）に示すように第１延出部５５を貫通孔７１に挿入する。このときリブ６１と第１バネ片６３が第１横設部４５に接触する。
【００３９】
その後、前板部５３の上端近傍を中心として回転させると、第２バネ片６５が上方に圧縮変形して貫通孔７１を通過し、通過後は元の位置に戻る。このとき、第１延出部５５の上方ではリブ６１が第１横設部４５と係止し、第２延出部５７の下方では第２バネ片６５が貫通孔７１の周縁部と係止する。このようにして手掛け部５１が主板部材１７に取り付けられる。
【００４０】
このとき、第１延出部５５および第２延出部５７により形成される筒状体は主板部材１７と交差する後方に延び出している。第１バネ片６３および第２バネ片６５は、それぞれ第１横設部４５および貫通孔７１の周縁部と接触して下側および上側に弾性変形しているため、その反発力により手掛け部５１のがたつきを抑制する。
【００４１】
次に、手掛け部５１による作用を説明する。
第１延出部５５，第２延出部５７，および底板部５９により形成される溝（以降この溝のことを単に溝と記載する）が、指などの進入物の前方から後方への進入を可能とする延出空間となる。そしてこの延出空間の上方に位置する第１延出部５５が、下方から上方に加えられる荷重を受ける荷重受け部として機能する。換言すると、上記溝は、幕板１５の前側面よりも後方に設けられ、前方から荷重受け部として機能する第１延出部５５への進入物の進入を可能とする間隙とも言える。
【００４２】
従って、手掛け部５１のこの溝に指などを挿入して引っ掛けて第１延出部５５に荷重を掛けることで机１を持ち上げることができる。なお第１延出部５５に上方への荷重が加えられると、その荷重はリブ６１を介して第１横設部４５に伝達される。
【００４３】
また、指などを幕板１５よりも後方に向けて挿入すると、底板部５９と接触して、指などが溝の深さ以上挿入されることが抑制される。この効果は以下のスタッキング機能の説明において記載する。
【００４４】
（３）机のスタッキングおよびギャンギング機能
机１は、スタッキングが可能である。２台の机をスタッキングした状態を図７（Ａ），図７（Ｃ）に示す。また机１の天板１１の下方を示す図を図７（Ｂ）に示す。なお、理解を容易にするために一部の構成を省略している。
【００４５】
机１は、図７（Ｂ）に示すように、上面視で天板１１よりも左右方向外側に後脚２３Ｌ，２３Ｒが配置されているため、天板１１が前後に所定距離ずれながら重なるようにして上下に積み重ねて収納することが可能である。なお前脚２１Ｌ，２１Ｒは天板１１の下方に配置されているが、その位置が天板１１の前端近傍であるため、積み重ねる際に上下の机１の天板１１同士をずらす幅に与える影響は小さい。
【００４６】
なおこのように積み重ねて収納した状態において、図７（Ｃ）に示すように、２台の机１における連結部２５Ｒ同士の間には上下方向の間隔が形成される。固定型キャスタ３５はこの間隔に収まるように構成されている。
【００４７】
ここで、図７（Ｃ）に示されるように、底板部５９は積み重ねたときに下方にある机１の天板１１の進入する（下側の机１が存在することとなる）領域よりも前方に配置されている。つまり主板部材１７に設けられる溝の深さは、机１を複数積み重ねたときに下方にある机１の天板１１の進入する領域に到達しない深さである。従って、手掛け部５１に指を入れて机１を積み重ねても、上下の机１の間で指を挟むことが抑制される。
【００４８】
また机１は、左右にギャンギングし、天板１１を接することが可能である。２台の机１をギャンギングした状態を図８に示す。なお、理解を容易にするために一部の構成を省略している。
【００４９】
上述したように机１は上面視で天板１１よりも左右方向外側に後脚２３Ｌ，２３Ｒが配置されているが、天板１１を左右方向に隣接して並べても後脚２３Ｌと後脚２３Ｒとは接触しない。
【００５０】
２台の机１の連結箇所を見ると、第２横設部４７の左端部側は後方に屈曲しており、その左端部から後脚２３Ｌが垂直に下に延びている。一方、第２横設部４７の右端部側は屈曲しておらず、その右端部から後脚２３Ｒが後方に傾斜して下に延びている。その結果、左側の机１の後脚２３Ｒが右側の机１における第２横設部４７の下をくぐるような位置関係となり、各脚部の接触が回避される。
【００５１】
また、右の連結部２５Ｒにおける前脚２１Ｒとの連接部分８１Ｒは、左の連結部２５Ｌにおける前脚２１Ｌとの連接部分８１Ｌよりも左右方向から見て上方に位置しているため、連接部分８１Ｒが連接部分８１Ｌの上を通過する位置関係となり、これらの接触も回避される。
【００５２】
このように本実施例の机１は、ギャンギングとスタッキングを同時に達成できる。
（４）効果
本実施例の机１は、幕板１５と天板１１との間に指などを挿入する隙間がなく、また天板１１の幕板１５からの突出量も小さいが、幕板１５に手掛け部５１が設けられていることにより、運搬者が机１の前面側に荷重を加えて机を持ち運ぶことができる。つまり、幕板１５の設計の自由度を高めて美観を向上しつつ、また幕板１５を前方に配置することで天板１１の下方空間を広くして快適性を高めつつ、机の持ち運びの利便性を向上できる。
【００５３】
また、手掛け部５１は底板部５９により指等が挿入される深さを制限しているため、天板１１を積み重ねて机１を収納する際に、天板１１の間に指が挟まれてしまうことを抑制できる。
【００５４】
また、第１延出部５５に加えられた上方向の荷重はリブ６１を介して第１横設部４５に伝えられるため、応力を分散でき、第１延出部５５や幕板１５が破損または変形してしまうことを抑制できる。
【００５５】
なお、手掛け部５１が本発明における取付部材の一例であり、自在型キャスタ３１が本発明におけるキャスタの一例であり、第１横設部４５が本発明における横設部の一例であり、リブ６１が本発明における伝達部の一例である。
【００５６】
［変形例］
以上本発明の実施例について説明したが、本発明は、上記実施例に何ら限定されることはなく、本発明の技術的範囲に属する限り種々の形態をとり得ることはいうまでもない。
【００５７】
例えば、上記実施例においては、幕板１５に手掛け部５１を設けることで机１の前面へ荷重を掛ける構成を例示したが、手掛け部５１を設けずに幕板に荷重を掛けるように構成しても良いし、幕板以外の部分に荷重を掛けるように構成してもよい。
【００５８】
前者の構成としては、例えば図９に示す机１ａのように、幕板１５ａの主板部材１７ａに貫通孔８３を形成した構成が考えられる。この場合、貫通孔８３の周縁部の上側部分を荷重受け部としてもよいし、第１横設部４５や天板１１を荷重受け部としてもよい。
【００５９】
また後者の構成としては、例えば図１０（Ａ）、図１０（Ｂ）に示す机１ｂのように、幕板１５ｂの主板部材１７ｂに切欠き８５を設ける構成が考えられる。この机１ｂは、切欠き８５の後方の空間が進入物の前方から後方への進入を可能とする延出空間となっており、また第１横設部４５ｂが後方にずれて配置されており、天板１１におけるその延出空間の上方に位置する領域が荷重受け部となる。天板１１の下方には、実施例の机１の底板部５９に対応する挿入抑制部８７が設けられている。なお第１横設部を切欠き８５のすぐ後方に設けて、第１横設部を荷重受け部としてもよい。
【００６０】
なお上記机１ｂにおいては、切欠き８５が前方から荷重受け部への進入物の進入を可能とする間隙を形成する間隙部となる。
また、天板に荷重受け部を形成する例としては、天板に前方から後方に延びる指を挿入可能な穴を形成したり、天板の下面が開口となる前方から後方に延びる切欠きを形成したりすることが考えられる。これら穴および切欠きによって形成された延出空間の上面（天板の下面）が荷重受け部となる。
【００６１】
また上記実施例においては、板状の底板部５９が指等の後方への進入を抑制する構成を例示したが、指等の進入を抑制できるならば板状の部材に限られない。例えば網目状や格子状に形成された部材を用いてもよい。
【００６２】
また上記実施例においては、手掛け部５１はリブ６１の後方の高くなった部分において第１横設部４５と係止することで手掛け部５１の抜け止めを実現している。しかしながら、図１１に示す手掛け部５１ａのように、主板部材１７の貫通孔７１の周縁部上端と係止部分９１とが係止する構成としてもよい。
【００６３】
但しこの構成では、係止部分９１を中心に旋回して挿入されるので、係止部分９１の上側に広い平面部９３を形成すると主板部材１７と接触してしまうため上側に広い平面部９３を形成することが困難である。一方上記実施例の机１では、図６に示すようにリブ６１が第１横設部４５を後方にスライドするため、旋回中心がより上方に位置することとなり、前板部５３の上方を広く形成することができる。図６（Ｂ）の例では、旋回中心は前板部５３の上端部分である。
【符号の説明】
【００６４】
１…机、１１…天板、１３Ｌ，１３Ｒ…脚部、１５…幕板、１７…主板部材、２１Ｌ，２１Ｒ…前脚、２３Ｌ，２３Ｒ…後脚、２５Ｌ，２５Ｒ…連結部、２７Ｌ，２７Ｒ…上柱、２９Ｌ，２９Ｒ…下柱、３１…自在型キャスタ、３５…固定型キャスタ、３９…上脚連結杆、４１…下脚連結杆、４５…第１横設部、４７…第２横設部、５１…手掛け部、５３…前板部、５５…第１延出部、５７…第２延出部、５９…底板部、６１…リブ、６３…第１バネ片、６５…第２バネ片、７１…貫通孔、８３…貫通孔、８５…切欠き、８７…挿入抑制部、９１…係止部分、９３…平面部。
【図１】
2014213086.tif 000003
【図２】
2014213086.tif 000004
【図３】
2014213086.tif 000005
【図４】
2014213086.tif 000006
【図５】
2014213086.tif 000007
【図６】
2014213086.tif 000008
【図７】
2014213086.tif 000009
【図８】
2014213086.tif 000010
【図９】
2014213086.tif 000011
【図１０】
2014213086.tif 000012
【図１１】
2014213086.tif 000013